(57)【要約】【課題】水面下に投下後、短期間のうちに小さな動植物を生息させ、球形状の護岸・漁礁ブロックより嵩張らず軽量で低コストであるとともに、輸送中や使用時の安定性が高い護岸・魚礁ブロックおよびその製造方法を提供する。【解決手段】半球形状のコンクリートブロック１１の半球壁面および端壁面に、先端を突出させて多数個の自然石１２…を敷設・固定したので、小さな動植物を自然石１２…間に短期間のうちに生息できる。しかも、コンクリートブロック１１を半球形状としたので、例えば球形状の護岸・漁礁ブロックに比べて、嵩張らず軽量で低コストとなる。さらに、護岸・漁礁ブロック１０の端壁面を設置面側として、例えば輸送中の荷台に載置したり、海底などに沈めた際の護岸・漁礁ブロック１０の安定性も高まる。【選択図】        図１
2004339858.tif 000002
【特許請求の範囲】
【請求項１】
半球形状のコンクリートブロックと、
このコンクリートブロックの半球面および端面に、先端が突出するように敷設・固定された多数個の自然石とを備えた護岸・魚礁ブロック。
【請求項２】
前記コンクリートブロックの端面に敷設・固定された各自然石は、この端面の外周部から中心部に向かって、徐々に端面からの高さが高くなるように並べられた請求項１に記載の護岸・魚礁ブロック。
【請求項３】
隣接する自然石と自然石との間の胴込め部分に形成された小さな動植物の生息空間と、
各自然石の基端部にそれぞれ形成された溝部と、
これらの溝部にそれぞれ挿入され、接着剤により接着された多数個のアンカー部材と、
前記コンクリートブロックの内部に埋設され、多数個のアンカー部材を離間状態で植立する組立鉄筋とを有する請求項１または請求項２に記載の護岸・魚礁ブロック。
【請求項４】
半球形状を有する護岸・魚礁ブロック用型枠を用意する工程と、
一端部に溝部を形成した多数個の自然石を用意する工程と、
各自然石の接着剤が充填された溝部に、アンカー部材をそれぞれ挿入する工程と、
前記護岸・魚礁ブロック用型枠の内部空間に、その一端部をその内部空間の中心側に向けて多数個の自然石をそれぞれ配列する工程と、
隣接する自然石と自然石との間の胴込め部分に、水溶性の粘土からなる目地止め粘土材を充填する工程と、
前記護岸・魚礁ブロック用型枠の内部空間にコンクリートを流し込むことにより、その外壁面に多数個の自然石を敷設する工程と、
このコンクリートの流し込み後、前記護岸・魚礁ブロック用型枠内で固化中のコンクリートブロックの端面に、前記自然石を敷設する工程と、
このコンクリートが完全に固化した後、前記護岸・魚礁ブロック用型枠から護岸・魚礁ブロックを取り外し、半球状の護岸・魚礁ブロックを製造する工程とを備えた護岸・魚礁ブロックの製造方法。
【請求項５】
前記コンクリートブロックの端面には、この端面の外周部から中心部に向かって、徐々にこの端面からの高さが高くなるように各自然石を並べて行く請求項４に記載の護岸・魚礁ブロックの製造方法。
【請求項６】
前記護岸・魚礁ブロック用型枠の内部空間に、多数個のアンカー部材が植立された組立鉄筋を配筋するとともに、各アンカー部材を対応する自然石の溝部に挿入し、各自然石を組立鉄筋にそれぞれ連結する請求項４または請求項５に記載の護岸・魚礁ブロックの製造方法。
【発明の詳細な説明】
【０００１】
【発明の属する技術分野】
この発明は護岸・魚礁ブロックおよびその製造方法、詳しくは半球形状を有する護岸・魚礁ブロックおよびその製造方法に関する。
【０００２】
【従来の技術】
海岸付近や河川の堤防付近には、波の力を弱めるため、護岸ブロックが設置されている。さらに、海底や川底などには、魚の住処となる魚礁ブロックが沈められている。以下、これらの護岸ブロックおよび魚礁ブロックをまとめて護岸・魚礁ブロックという。
従来の護岸・魚礁ブロックとして、例えば特許文献１に示すような略三角錐形状を有したコンクリートブロック製のテトラポットが知られている。
【０００３】
【特許文献１】特開平１０−２３７８９３号公報（第１頁、図１）
【０００４】
【発明が解決しようとする課題】
しかしながら、従来の護岸・魚礁ブロックは、略三角錐形状を有した単なるコンクリートブロック製のテトラポットであった。そのため、テトラポットの人工的な形状と色合いとに違和感を感じ、魚などが住み着くためには長い期間を要していた。しかも、小魚などが隠れる狭い空間も少なかった。
また、球形状を有する護岸・魚礁ブロックも考えられるが、球形状ではブロックが大型で重量が嵩張り、コスト高を招いてしまう。しかも、例えばトラック輸送中における荷台でのブロックの安定性が悪く、運転が難しくなる。また、海底などに設置する際、護岸・魚礁ブロックの安定が悪かった。そのため、海底のブロック設置領域が傾斜していれば、投下された護岸・魚礁ブロックが、そのブロック設置領域から位置ずれしてしまうおそれがあった。
【０００５】
【発明の目的】
この発明は、水面下に投下後、短期間のうちに小さな動植物を生息させることができ、しかも球形状の護岸・魚礁ブロックに比べて、嵩張らず、しかも低コストであるとともに、輸送中および使用時の安定性も高い護岸・魚礁ブロックおよびその製造方法を提供することを、その目的としている。
また、この発明は、海底などに存在する自然の岩などに近似させることができる護岸・魚礁ブロックおよびその製造方法を提供するこを、その目的としている。
さらに、この発明は、護岸・魚礁ブロックに自然石を堅固に固定することができる護岸・魚礁ブロックおよびその製造方法を提供することを、目的としている。
【０００６】
さらに、この発明は、コンクリート打設時に、コンクリートが自然石と自然石との隙間から流出せず、しかも打設後は、自然石間の胴込め部分に小さな動植物の生息空間を簡単に現出させることができる護岸・魚礁ブロックの製造方法を提供することを、その目的としている。
さらにまた、この発明は、半球形状を有する護岸・魚礁ブロックを安価に大量生産することができる護岸・魚礁ブロックの製造方法を提供することを、その目的としている。
そして、この発明は、自然石と自然石とのあいだに隙間をあけても、自然石がコンクリートの表面から離脱しにくい護岸・魚礁ブロックおよびその製造方法を提供することを、その目的としている。
【０００７】
【課題を解決するための手段】
請求項１に記載の発明は、半球形状のコンクリートブロックと、このコンクリートブロックの半球面および端面に、先端が突出するように敷設・固定された多数個の自然石とを備えた護岸・魚礁ブロックである。
護岸・魚礁ブロックとは、例えばテトラポットに代表される護岸用のコンクリート塊、または魚の住処となる魚礁用のコンクリート塊、もしくは護岸ブロックと魚礁ブロックとを兼務するコンクリート塊である。
自然石とは、例えばカンラン岩、砂岩、石灰岩などの加工が施されていない石（玉石を含む）のことである。ただし、ここでは、自然石に外観を似せた人工石を含む。
コンクリートブロックは半球形状である。そのため、コンクリートブロックの露出面は、半球面と端面とから構成される。自然石は、そのブロックの露出面全体に敷設・固定されている。
【０００８】
請求項２に記載の発明は、前記コンクリートブロックの端面に敷設・固定された各自然石は、この端面の外周部から中心部に向かって、徐々に端面からの高さが高くなるように並べられた請求項１に記載の護岸・魚礁ブロックである。
このように、ブロックの端面に自然石を並べると、作製されたコンクリートブロックは略楕円形状となる。そのため、例えばテトラポット、球形状の護岸・魚礁ブロックに比べて、海底に存在する岩などに形状が相似してくる。
【０００９】
請求項３に記載の発明は、隣接する自然石と自然石との間の胴込め部分に形成された小さな動植物の生息空間と、各自然石の基端部にそれぞれ形成された溝部と、これらの溝部にそれぞれ挿入され、接着剤により接着された多数個のアンカー部材と、コンクリートブロックの内部に埋設され、多数個のアンカー部材を離間状態で植立する組立鉄筋とを有する請求項１または請求項２に記載の護岸・魚礁ブロックである。
【００１０】
小さな動植物としては、例えば小魚、貝類、草類、昆虫などが挙げられる。
自然石の端部に溝部を形成する方法は限定されない。例えば、石材切断装置の回転刃、バンドソーなどを応用して溝部を形成してもよい。自然石の溝部の形状は、アンカー部材の形状に対応する。また、１個の自然石に対して複数のアンカー部材が配される際には、アンカー部材の数だけ溝部が形成される。
自然石用の接着剤としては、例えばエポキシ樹脂系の石材用接着剤などを採用することができる。自然石間の胴込め部分とは、隣接する自然石と自然石との間のうち、コンクリートの表面側で目地止め部材が充填される部分をいう。
アンカー部材としては、例えば鉄筋、鉄片などを採用することができる。アンカー部材の形状は限定されない。例えば、三角形状のほか、四角形以上の多角形状などでもよい。鉄筋製のアンカー部材の場合、短尺な鉄筋を三角形の枠体または四角形の枠体に作製する。また、アンカー部材は、１個の自然石に対して１個に限定されない。例えば、１個の自然石に対して複数のアンカー部材を配してもよい。
組立鉄筋とは、鉄筋を例えば平面視して格子状に組んだものである。この組立鉄筋に、各アンカー部材が略直角な状態で植立される。
【００１１】
請求項４に記載の発明は、半球形状を有する護岸・魚礁ブロック用型枠を用意する工程と、一端部に溝部を形成した多数個の自然石を用意する工程と、各自然石の接着剤が充填された溝部に、アンカー部材をそれぞれ挿入する工程と、前記護岸・魚礁ブロック用型枠の内部空間に、その一端部をその内部空間の中心側に向けて多数個の自然石をそれぞれ配列する工程と、隣接する自然石と自然石との間の胴込め部分に、水溶性の粘土からなる目地止め粘土材を充填する工程と、前記護岸・魚礁ブロック用型枠の内部空間にコンクリートを流し込むことにより、その外壁面に多数個の自然石を敷設する工程と、このコンクリートの流し込み後、前記護岸・魚礁ブロック用型枠内で固化中のコンクリートブロックの端面に、前記自然石を敷設する工程と、このコンクリートが完全に固化した後、前記護岸・魚礁ブロック用型枠から護岸・魚礁ブロックを取り外し、半球状の護岸・魚礁ブロックを製造する工程とを備えた護岸・魚礁ブロックの製造方法である。
【００１２】
目地止め粘土材の原料である水溶性の粘土としては、例えば粘土質の赤土、黒土などを採用することができる。
目地止め粘土材は、例えば隣接する自然石間の胴込め部分に充填される。ただし、胴込め部分だけでなく、自然石間の全域に充填してもよい。
コンクリートの打設は、型枠を横置きにした状態（ブロックの端面が水平）で実施してもよいし、縦置き（ブロックの端面が垂直）にした状態で実施してもよい。護岸・魚礁ブロックの製造は、工場で行ってもよい。また、現場で行ってもよい。
アンカー部材を溝部に挿入する際には、接着剤を溝部に充填した方が、アンカー部材と自然石との結合性が高まるので好ましい。
自然石の溝部の形状は、アンカー部材の形状に対応する。また、１個の自然石に対して複数のアンカー部材が配される際には、アンカー部材の数だけ溝部が形成される。護岸・魚礁ブロックの直径は限定されない。
【００１３】
請求項５に記載の発明は、前記コンクリートブロックの端面には、この端面の外周部から中心部に向かって、徐々にこの端面からの高さが高くなるように各自然石を並べて行く請求項４に記載の護岸・魚礁ブロックの製造方法である。
【００１４】
請求項６に記載の発明は、前記護岸・魚礁ブロック用型枠の内部空間に、多数個のアンカー部材が植立された組立鉄筋を配筋するとともに、各アンカー部材を対応する自然石の溝部に挿入し、各自然石を組立鉄筋にそれぞれ連結する請求項４または請求項５に記載の護岸・魚礁ブロックの製造方法である。
組立鉄筋とは、鉄筋を例えば平面視して格子状に組んだものである。この組立鉄筋に、各アンカー部材が略直角な状態で植立される。
自然石とアンカー部材との接着は、アンカー部材と組立鉄筋との連結の前でもよいし、後でもよい。
【００１５】
【作用】
請求項１に記載の護岸・魚礁ブロックおよび請求項４に記載の護岸・魚礁ブロックの製造方法によれば、半球形状のコンクリートブロックの半球面および端面に、先端が突出するように多数個の自然石を敷設・固定している。そのため、小さな動植物の警戒心が和らぎ易く、水面下に投下後、短期間のうちに自然石と自然石との間に小さな動植物を生息させることができる。
しかも、護岸・魚礁ブロックの本体となるコンクリートブロックを半球形状としたので、球形状を有する護岸・魚礁ブロックの場合に比べて、大きさが嵩張らず、しかも低コストである。
さらには、護岸・魚礁ブロックを、例えばトラック輸送するときや、海底に投下して利用するときに、護岸・魚礁ブロックの端面を載置面とし、この護岸・魚礁ブロックをトラックの荷台に載置したり海底に沈めれば、例えば球形状の護岸・魚礁ブロックに比べて、護岸・魚礁ブロックの載置時の安定性が高まる。
【００１６】
特に、請求項４の護岸・魚礁ブロックの製造方法によれば、型枠の内面に沿って自然石を位置決めする際には、組立鉄筋に植立されたアンカー部材を、接着剤が充填された溝部の中に挿入して固定する。その後、型枠内にコンクリートを流し込んで打設する。
このように、アンカー部材を介して自然石が固定されるので、型枠内での自然石の位置決めが容易となる。しかも、コンクリートに対して自然石を堅固に固定することもできる。そして、このような護岸・魚礁ブロックの製造方法を利用し、半球形状を有する護岸・魚礁ブロックを安価に大量生産することができる。
【００１７】
また、請求項２に記載の護岸・魚礁ブロックおよび請求項５に記載の護岸・魚礁ブロックの製造方法によれば、コンクリートブロックの端面に敷設・固定された各自然石が、ブロック端面の外周部から中心部に向かって、徐々に端面からの高さが高くなるように並べられている。そのため、護岸・魚礁ブロックの端面側が断面視して略山形状となる。よって、護岸・魚礁ブロックは、全体視して略楕円形となり、海底などに存在する自然の岩などに近似させることができる。その結果、小魚などの警戒心を和らげ、そこに生息するまでの期間をさらに短縮することができる。
【００１８】
さらに、請求項３に記載の護岸・魚礁ブロックおよび請求項４に記載の護岸・魚礁ブロックの製造方法によれば、隣接する自然石と自然石とのあいだの胴込め部分に、水溶性の粘土からなる目地止め粘土材を充填するので、コンクリート打設時、コンクリートが自然石の表面側に回り込みにくい。この打設後は、目地止め粘土材を水に接触させて溶かす。これにより、自然石と自然石との間に小さな動植物の生息空間を容易に形成することができる。
【００１９】
さらにまた、請求項６に記載の護岸・魚礁ブロックの製造方法によれば、自然石と自然石とのあいだに隙間をあけると、自然石は隣り合う別の自然石による支えが得られない。これにより、各自然石はコンクリートの表面から離脱しやすい。しかしながら、この発明では、アンカー部材を介して自然石がコンクリート内の組立鉄筋に連結されている。その結果、各自然石は単独でも堅固な固定力が得られる。
【００２０】
【発明の実施の形態】
以下、この発明の実施例に係る護岸・魚礁ブロックおよびその製造方法を説明する。
図１において、１０はこの発明の一実施例に係る護岸・魚礁ブロックで、この護岸・魚礁ブロック１０は、河川または海岸に沈められ、防波堤や海岸に寄せる波の勢いを弱めたり、小魚の住処などになるブロックである。
護岸・魚礁ブロック１０は、半球形状のコンクリートブロック１１を本体とし、コンクリートブロック１１の半球面および端面に多数個の自然石１２…が敷設され、隣接する自然石１２と自然石１２との間の胴込め部分に、小さな動植物の生息空間ａが形成されたものである。コンクリートブロック１１の内部には、多数個のアンカー部材１３…が離間状態で植立された組立鉄筋２２が埋設されている。
【００２１】
以下、図２〜図６を参照して、護岸・魚礁ブロック１０の製造方法を説明する。まず、各内面が半球形状を有する金型（護岸・魚礁ブロック用型枠）２３を用意する（図２）。次に、金型２３の内面に、多数個の自然石１２…をそれぞれ敷設する。その際、各自然石１２…は、それぞれの溝部１２ａ…を、金型内面の曲率中心に向けた状態で配置されている（図３）。各溝部１２ａ…には、接着剤１５を介して、アンカー部材１３…がそれぞれ植立されている。各溝部１２ａ…は、自然石１２…の中心部へ向かって形成されている。接着剤１５が充填された各溝部１２ａ…にアンカー部材１３…が挿入され、各自然石１２…がコンクリートブロック１１に固定された護岸・魚礁ブロック１０を、河川または海岸の護岸用として使用する。接着剤１５は、エポキシ樹脂系の石材用のものを使用する。
【００２２】
金型２３の内径は２〜３ｍである。金型２３の内部空間には、金型内面の曲率中心を通過する垂直な軸線周りに、９０度間隔で長尺なブロック吊下用縦筋２５…が４本立設されている。各ブロック吊下用縦筋２５…は１９ｍｍ以上の太さを有し、各上端部が金型２３の上面より若干上方に突出する長さを有している。また、各ブロック吊下用縦筋２５…の上端部には、フック２５ａ…がそれぞれ形成されている。さらに、各ブロック吊下用縦筋２５…の下部の所定高さ位置からは、対応するアンカー部材１３…に向かって水平面内で放射状に多数本の横筋２６…が延びている。したがって、各自然石１２…は、対応するアンカー部材１３…と横筋２６…とを介して、４本のうちの何れかのブロック吊下用縦筋２５…に連結されている。各ブロック吊下用縦筋２５…および横筋２６…により、組立鉄筋２２が構成される。なお、横筋２６…は省略してもよい。
【００２３】
次に、金型２３の内部空間にコンクリートを流し込む。コンクリートの金型内面への漏れは、自然石１２…間の胴込め部分に充填された赤土（目地止め粘土材）１８によって阻止される。その後、コンクリートを養生、固化する。その際、コンクリートが完全に固化する前に、固化中のコンクリートブロック１１の端面に、先端が突出するように多数個の自然石１２…を敷設する。具体的には、ブロック端面の外周部から中心部に向かって徐々に端面からの高さが高くなるように、大きさが異なる自然石１２…を並べる。これにより、露出壁面の全域に多数個の自然石１２…が敷設されたコンクリートブロック１１が打設される。
その後、各フック２５ａ…にワイヤを通し、そのワイヤを図示しないクレーンのフックＦに掛止してコンクリートブロック１１を吊り上げて脱型する（図６）。こうして、護岸・魚礁ブロック１０が製造される（図１）。
【００２４】
このように、半球形状のコンクリートブロック１１の半球面および端面に、先端が突出するように多数個の自然石１２…を敷設・固定するようにしたので、従来のテトラポットなどに比べて外観が自然の岩などに近い。そのため、海底面に投下後、短期間のうちに小さな動植物を自然石１２と自然石１２との間に生息させることができる。しかも、護岸・魚礁ブロックの本体となるコンクリートブロック１１を半球形状としたので、例えば球形状の護岸・魚礁ブロックに比べて、嵩張らず軽量で、しかも低コストとなる。さらには、護岸・魚礁ブロック１０の端面を設置面側として、例えば輸送中の荷台に載置したり、海底などに沈めたりすれば、護岸・魚礁ブロック１０の安定性を高めることができる。さらに、多数個の護岸・魚礁ブロック１０を、その半球面側（周側壁面側）を下に向けて海底に並べた場合には、ブロック設置領域において、実際の海底の数メートル上方に、各護岸・魚礁ブロックの端面に配置された自然石１２…群からなる新たな海底を現出することができる。すなわち、ブロック設置領域の海底は、下層に小さな動植物の生息域を有した２層式の海底となる。
【００２５】
また、アンカー部材１３…により自然石１２…をコンクリートブロック１１に固定するようにしたので、金型２３内での自然石１２…の位置決めが容易となる。しかも、コンクリートに対して自然石１２…を堅固に固定することができる。そして、このような護岸・魚礁ブロック１０の製造方法を利用し、半球形状を有する護岸・魚礁ブロック１０を安価に大量生産することができる。
さらに、ブロック端面において、各自然石１２…はブロック端面の外周部から中心部に向かって徐々にこの端面からの高さが高くなるように構成している。そのため、護岸・魚礁ブロック１０は全体視して略楕円形となり、海底などに存在する自然の岩などにさらに近似する。その結果、小魚などの警戒心をより以上に和らげ、そこに小魚などが生息するまでの期間をさらに短縮することができる。
【００２６】
そして、隣接する自然石１２と自然石１２とのあいだの胴込め部分に、水溶性の粘土からなる赤土１８を充填するようにしたので、コンクリート打設時、コンクリートが自然石１２…の表面側に回り込みにくい。打設後は、赤土１８を水に接触させて溶かす。その結果、自然石１２と自然石１２との間に小さな動植物の生息空間ａを容易に形成することができる。
また、自然石１２と自然石１２とのあいだに隙間をあけると、自然石１２は隣り合う別の自然石１２による支えが得られない。これにより、各自然石１２…はコンクリートの表面から離脱しやすい。しかしながら、一実施例では、アンカー部材１３…を介して自然石１２…がコンクリート内の組立鉄筋２２に連結されている。その結果、各自然石１２…は単独でも堅固な固定力が得られる。
【００２７】
【発明の効果】
請求項１に記載の護岸・魚礁ブロックおよび請求項４に記載の護岸・魚礁ブロックの製造方法によれば、半球形状のコンクリートブロックの半球面および端面に、先端が突出するように多数個の自然石を敷設・固定したので、小さな動植物を自然石と自然石との間に短期間のうちに生息させることができる。しかも、護岸・魚礁ブロックの本体となるコンクリートブロックを半球形状としたので、例えば球形状の護岸・魚礁ブロックに比べて、嵩張らず、しかも低コストとなる。さらには、護岸・魚礁ブロックの端面を設置面側として、例えば輸送中の荷台に載置したり、海底などに沈めた場合の護岸・魚礁ブロックの安定性を高めることができる。
【００２８】
特に、請求項４に記載の護岸・魚礁ブロックの製造方法によれば、アンカー部材により自然石をコンクリートブロックに固定するので、型枠内での自然石の位置決めが容易となる。しかも、コンクリートに対して自然石を堅固に固定することができる。そして、このような護岸・魚礁ブロックの製造方法を利用し、半球形状を有する護岸・魚礁ブロックを安価に大量生産することができる。
【００２９】
また、請求項２に記載の護岸・魚礁ブロックおよび請求項５に記載の護岸・魚礁ブロックの製造方法によれば、各自然石はブロック端面の外周部から中心部に向かって徐々に端面からの高さが高くなるように構成している。そのため、護岸・魚礁ブロックは全体視して略楕円形となり、海底などに存在する自然の岩などに近似する。その結果、小魚などの警戒心をより以上に和らげ、そこに生息するまでの期間をさらに短縮することができる。
【００３０】
さらに、請求項３に記載の護岸・魚礁ブロックおよび請求項４に記載の護岸・魚礁ブロックの製造方法によれば、隣接する自然石と自然石とのあいだの胴込め部分に、水溶性の粘土からなる目地止め粘土材を充填するので、コンクリート打設時、コンクリートが自然石の表面側に回り込みにくい。この打設後は、目地止め粘土材を水に接触させて溶かす。これにより、自然石と自然石との間に小さな動植物の生息空間を容易に形成することができる。
【００３１】
請求項６に記載の護岸・魚礁ブロックの製造方法によれば、自然石と自然石とのあいだに隙間をあけると、自然石は隣り合う別の自然石による支えが得られない。これにより、各自然石はコンクリートの表面から離脱しやすい。しかしながら、この発明では、アンカー部材を介して自然石がコンクリート内の組立鉄筋に連結されている。その結果、各自然石は単独でも堅固な固定力が得られる。
【図面の簡単な説明】
【図１】この発明の一実施例に係る護岸・魚礁ブロックの縦断面図である。
【図２】この発明の一実施例に係る護岸・魚礁ブロックの製造方法におけるコンクリート打設直前の状態を示す縦断面図である。
【図３】図２の要部拡大断面図である。
【図４】図３とは直交方向から見た図２の要部拡大断面図である。
【図５】この発明の一実施例に係る護岸・魚礁ブロックの製造方法におけるコンクリート打設後、ブロック端面に自然石を敷設した状態を示す縦断面図である。
【図６】この発明の一実施例に係る護岸・魚礁ブロックの製造方法における護岸・魚礁ブロックの脱型状態を示す縦断面図である。
【符号の説明】
１０  護岸・魚礁ブロック、
１１  コンクリートブロック、
１２  自然石、
１２ａ  溝部、
１３  アンカー部材、
１５  接着剤、
１８  赤土（目地止め粘土材）、
２２  組立鉄筋、
２３  金型（護岸・魚礁ブロック用型枠）、
ａ  生息空間。
【図１】
2004339858.tif 000003
【図２】
2004339858.tif 000004
【図３】
2004339858.tif 000005
【図４】
2004339858.tif 000006
【図５】
2004339858.tif 000007
【図６】
2004339858.tif 000008